(57)【要約】      （修正有）【課題】使用者にアレルギー反応を生じさせる確率を下げる有機食材粉末を混合させたフィットネス用ボール構造を提供する。【解決手段】有機食材粉を混合させたフィットネス用ボール構造は、弾性基材のインナーボール構造１と有機食材粉末層２とを含む。弾性基材のインナーボール構造は、インナーボールの外表面１１を有する。有機食材粉末層は、射出成形方法でインナーボールの外表面に形成される。【選択図】図２
0003222570.tif 000002
【実用新案登録請求の範囲】
【請求項１】
インナーボールの外表面を有する弾性基材のインナーボール構造と、
射出成形方法で前記インナーボールの外表面に形成された有機食材粉末層と、
を含むことを特徴とする、有機食材粉末を混合させたフィットネス用ボール構造。
【請求項２】
前記有機食材粉末層は、コーヒー粉末層、抹茶粉末層、ウコン粉末層、カレー粉末層、粉ミルク粉末層及びココア粉末層の少なくともいずれか一つであることを特徴とする、請求項１に記載の有機食材粉末を混合させたフィットネス用ボール構造。
【請求項３】
前記有機食材粉末層の粉末層と前記弾性基材のインナーボール構造のインナーボールの厚さ比が１：１〜１：５の範囲であることを特徴とする、請求項１に記載の有機食材粉末を混合させたフィットネス用ボール構造。
【考案の詳細な説明】
【技術分野】
【０００１】
本考案は、スポーツフィットネス用ボール構造に関し、特に、有機食材粉末を混合させたフィットネス用ボール構造に関する。
【背景技術】
【０００２】
近年スポーツブームの流行により、スポーツウェア、アクセサリー及び用品もこれに伴い販売され、２０１４年のヨガパンツの年間販売数が初めてジーンズの年間販売数を上回ったことから、現代人が昔よりもスポーツを重視していることが判明した。
【０００３】
このスポーツブームに伴って流行っているエクササイズ項目において、ヨガは、主要エクササイズ項目であり、多くのヨガ教室も開設され、若者だけでなく、中年層のみならずＮＢＡのスタープレーヤーも魅了している。現代人が称するヨガとは、主に一連の肉体と精神の鍛練を目的とした身体技法であり、昔からの理解しやすいテクニックを運用し、呼吸に合わせてポーズをとることでボディラインを整え、人々の生理学的、心理的、感情及び精神的な面により良い影響を与え、心身合一を実践できる。
【０００４】
使用者にヨガエクササイズ時、より一層安心で且つ安全的に様々なポーズをとらせるため、ゆったりとしたヨガパンツ、使用者保護用のヨガマット及び様々なヨガポーズをとるためのフィットネスボールもヨガエクササイズする時の重要なアクセサリーとなっている。
【０００５】
フィットネスボールは、ヨガボール、エクササイズボール、バランスボールとも呼ばれ、エクササイズやフィットネスに合わせた弾力性のあるボールアクセサリーであり、ヨガの動きを組み合わせることで、腹、背中、腰、太もも等の主要な部位に様々な動作を取らせることができ、またフィットネスボールの弾力性を通じて使用者に安全で様々な動作を取らせることができ、筋肉もリラックスさせることができ、また脂肪燃焼効果も持っている。また、フィットネスボールを利用したエクササイズは、使用者のストレス解消、集中力向上及び筋肉の筋力強化効果もある。
【０００６】
フィットネスボールを組み合わせることで、使用者に様々な高強度の動作を取らせることができ、例：体幹のコアマッスルの鍛錬或いはアレー等のフィットネス器具を組み合わせることで、容易に使用者の体温を上げて大量に汗をかかせる。一般的に言えば、使用者がフィットネスボールを組み合わせて使用した時、使用者の身体は必ずフィットネスボールと接触することになり、これは大面積の接触或いは小面積の接触を問わない。
【０００７】
従来技術内のフィットネスボールの一般的な成分は、色粉、ポリ塩化ビニル（Ｐｏｌｙｖｉｎｙｌ  Ｃｈｌｏｒｉｄｅ、ＰＶＣ）、可塑剤、安定剤等の化学成分が含まれ、使用者が長時間フィットネスボールに接触した時、使用者の皮膚にアレルギー反応を生じさせるおそれがあり、且つ使用者の高い体温でフィットネスボールに接触した時、フィットネスボールからアレルギー誘発物質となる化学成分を放出させるおそれもある。
【考案の概要】
【考案が解決しようとする課題】
【０００８】
本考案の主な目的は、従来技術のフィットネスボールは、使用者にアレルギー反応を生じさせる様々な問題を起こすおそれがあることに鑑み、使用者にアレルギー反応を生じさせる確率を下げるための有機食材粉末を混合させたフィットネス用ボール構造を提供することにある。
【課題を解決するための手段】
【０００９】
本考案は、従来技術の課題を解決するため、用いられる必要な技術的手段として有機食材粉末を混合させたフィットネス用ボール構造を提供することであり、前記有機食材粉末を混合させたフィットネス用ボール構造が弾性基材のインナーボール構造と有機食材粉末層とを含む。
【００１０】
弾性基材のインナーボール構造は、インナーボールの外表面を有する。有機食材粉末層は、射出成形方法でインナーボールの外表面に形成される。
【００１１】
上記の必要な技術的手段を踏まえ、本考案で派生する従属技術的手段は、有機食材粉末を混合させたフィットネス用ボール構造内の有機食材粉末層がコーヒー粉末層、抹茶粉末層、ウコン粉末層、カレー粉末層、粉ミルク粉末層及びココア粉末層の少なくともいずれか一つである。
【００１２】
上記必要な技術的手段を踏まえ、本考案で派生する従属技術的手段は、有機食材粉末を混合させたフィットネス用ボール構造において、有機食材粉末層の粉末層と弾性基材のインナーボール構造のインナーボールの厚さ比が１：１〜１：５の範囲である。
【考案の効果】
【００１３】
ところが、本考案に係る有機食材粉末を混合させたフィットネス用ボール構造は、有機食材粉末層を利用してインナーボールの外表面に成形され、従来技術と対比して、使用者の皮膚にアレルギー反応を生じさせる確率をより一層引き下げることができる。
【図面の簡単な説明】
【００１４】
【図１】本考案に係る好ましい実施例の有機食材粉末を混合させたフィットネス用ボール構造の立体図である。
【図２】図１のＡ─Ａ線断面図である。
【考案を実施するための形態】
【００１５】
以下、模式図を基に本考案の具体的実施形態について更なる詳細説明を行う。以下の記述及び実用新案登録請求の範囲によれば、本考案の利点及び特徴がより一層明確する。言及すべき点は、図面が均しく非常に簡略化され、かつ非正確な比例で描いたものであり、本考案の実施例を簡単かつ明確に説明する目的だけに使用する。
【００１６】
図１及び図２を一緒に参照すると、図１は、本考案に係る好ましい実施例の有機食材粉末を混合させたフィットネス用ボール構造の立体図であり；図２は、図１のＡ─Ａ線断面図である。図に示すように、有機食材粉末を混合させたフィットネス用ボール構造１００は、弾性基材のインナーボール構造１と有機食材粉末層２とを含む。
【００１７】
更に詳細に説明すると、図２は、図１の基準面ＲＡの断面図である。弾性基材のインナーボール構造１は、インナーボールの外表面１１とインナーボールの内表面１２とボール中心Ｏとを有する。ボール中心Ｏからインナーボールの内表面１２までの距離は、ボール内径Ｒ１と定義され、ボール中心Ｏからインナーボールの外表面１１までの距離をボール外径Ｒ２と定義される。
【００１８】
有機食材粉末層２は、弾性基材のインナーボール構造１のインナーボールの外表面１１に設けられ、粉末層の外表面２１と粉末層の内表面２２とを有する。ボール中心Ｏから粉末層の内表面２２までの距離は、粉末層内径Ｒ３と定義され、ボール中心Ｏから粉末層の外表面２１までの距離を粉末層外径Ｒ４と定義される。粉末層の内表面２２は、インナーボールの外表面１１と互いに結合しているため、粉末層内径Ｒ３がボール外径Ｒ２に等しい。
【００１９】
ボール外径Ｒ２とボール内径Ｒ１の差は、弾性基材のインナーボール構造１のインナーボールの厚さと定義し、粉末層外径Ｒ４と粉末層内径Ｒ３の差が、有機食材粉末層２の粉末層の厚さと定義する。一般的に言えば、粉末層とインナーボールの厚さ比は、１：１〜１：５の範囲とし、粉末層とインナーボールの厚さ比が１：１であることが好ましい。
【００２０】
有機食材粉末層２は、有機食材の粉末から成り、コーヒー粉末層、抹茶粉末層、ウコン粉末層、カレー粉末層、粉ミルク粉末層及びココア粉末層の少なくともいずれか一つとすることができる。コーヒー粉末層及びココア粉末層は、従来技術内の茶色の色粉及び黒色の色粉に取って代わることができ、抹茶粉末層が緑色の色粉に取って代わることができ、ウコン粉末層とカレー粉末層が黄色の色粉に取って代わることができ、そして粉ミルク粉末層が白色の色粉或いはベージュ色の色粉に取って代わることができる。
【００２１】
有機食材粉末層２は、従来技術の色粉に完全に取って代わり、また一部のポリ塩化ビニル、可塑剤、安定剤等の化学成分にも取って代わる。これにより、使用者（図示せず）が有機食材粉末を混合させたフィットネス用ボール構造１００を使用する時、使用者の皮膚が有機食材粉末を混合させたフィットネス用ボール構造１００の最外層の有機食材粉末層２と接触することになる。機食材粉末層２は、有機食材の粉末から成るため、皮膚と接触したとしても皮膚にアレルギー反応を生じさせることがない。
【００２２】
また、有機食材粉末層２は、有機食材の天然の香りを放出させ、使用者が使用した時に残った汗の臭いを軽減できる。有機食材粉末を混合させたフィットネス用ボール構造１００が、何らかの理由で捨てられた時、有機食材粉末層２は完全に分解させることができ、化学成分のように環境に対し汚染や負荷を与えることはない。
【産業上の利用可能性】
【００２３】
上記をまとめ、本考案に係る有機食材粉末を混合させたフィットネス用ボール構造は、有機食材粉末層を含み、従来技術と対比して、皮膚と接触するのが有機食材粉末層であるため、皮膚にアレルギー反応を生じさせる確率を効果的に下げることができる。
【００２４】
考案の詳細な説明の項においてなされた好ましい実施例は、あくまでも本考案の特徴及び精神を明らかにするものであって、そのような具体例にのみ限定して狭義に解釈されるべきものではない。逆に、本考案の実用新案登録請求の範囲と均等の意味及び範囲内での全ての変更が含まれることが意図される。
【符号の説明】
【００２５】
１００  有機食材粉末を混合させたフィットネス用ボール構造
１      弾性基材のインナーボール構造
１１    インナーボールの外表面
１２    インナーボールの内表面
２      有機食材粉末層
２１    粉末層の外表面
２２    粉末層の内表面
Ｏ      ボール中心
Ｒ１    ボール内径
Ｒ２    ボール外径
Ｒ３    粉末層内径
Ｒ４    粉末層外径
ＲＡ    基準面
【図１】
0003222570.tif 000003
【図２】
0003222570.tif 000004